(57)【要約】【課題】セキュリティ機能の高い通行管理装置を提供する。【解決手段】近距離無線通信機能を有する携帯型情報処理端末７と、この携帯型情報処理端末７に近距離無線通信機能を介して通過情報を送信する任意の位置に配設された通過情報送信装置９と、入室管理部屋１の少なくとも入室口に配設された自動開閉ドア５のドアロック機構のドアロックを解除するドアロック解除装置１０とを設け、ドアロック解除装置１０で携帯型情報処理端末７に通過情報送信装置９から取得した通過情報が記憶されているか否かによって入室有資格者であるか否かを判断し、入室有資格者であると判断したときにドアロックを解除して自動開閉ドア５を開状態とする。【選択図】図１
2007265454.tif 000002
【特許請求の範囲】
【請求項１】
通路に沿って配設された通過情報を送信する近距離無線通信機能を有する通過情報送信手段と、該通過情報送信手段の近距離無線通信機能と無線通信可能な近距離無線通信機能を有し、当該通過情報送信手段から所定の通過情報を取得する携帯型情報処理装置と、該携帯型情報処理装置で取得した通過情報に基づいて正規の通路を通過してきたか否かを判断する通過判断手段とを備えたことを特徴とする通行管理装置。
【請求項２】
通路に沿って配設された近距離無線通信機能を有する通過情報送信手段と、該通過情報送信手段の近距離無線通信機能と無線通信可能な近距離無線通信機能を有し、当該通過情報送信手段から所定の通過情報を取得する携帯型情報処理装置と、該携帯型情報処理装置の近距離無線通信機能と無線通信可能な近距離無線通信機能を有し、当該携帯型情報処理装置で取得した通過情報に基づいて正規の通路を通過してきたか否かを判断する通過判断手段と、該通過判断手段で正規の通路を通過してきたと判断したときに入室を許可する入出管理手段とを備えたことを特徴とする通行管理装置。
【請求項３】
前記入出管理手段は、入室を許可したときに入出ドアを開状態に制御することを特徴とする請求項２記載の通行管理装置。
【請求項４】
前記入出管理手段は、携帯型情報処理装置が取得した通過情報と携帯型情報処理装置の固有識別情報とに基づいて入出許可判断を行うように構成されていることを特徴とする請求項２又は３に記載の通行管理装置。
【請求項５】
前記入出管理手段は携帯型情報処理装置の固有識別情報の照合を管理サーバに依頼するように構成されていることを特徴とする請求項２又は３に記載の通行管理装置。
【請求項６】
前記携帯型情報処理装置は、前記入出管理手段との無線通信が不可能な状態となってから所定時間経過したときに取得した通過情報を消去するように構成されていることを特徴とする請求項２乃至５の何れかに記載の通行管理装置。
【請求項７】
前記携帯型情報処理装置は、所定の通過情報を受信してから所定時間内に他の通過情報送信手段及び通過判断手段の何れかと無線通信可能な状態とならないときに、取得した通過情報を消去するように構成されていることを特徴とする請求項１乃至５の何れかに記載の通行管理装置。
【請求項８】
前記通過情報送信手段は、携帯型情報処理装置と近距離無線通信機能を介して無線通信を行ったときに、携帯型情報処理装置の固有識別情報が登録されたものであるか否かを判断し、登録されたものであるときに通過情報を携帯型情報処理装置に送信するように構成されていることを特徴とする請求項１乃至６の何れかに記載の通行管理装置。
【請求項９】
前記通過情報送信手段は、ウォーキングラリー又はカーラリーの通過ポイントに配設され、通過判断手段がゴールに配設されていることを特徴とする請求項１記載の通行管理装置。
【請求項１０】
通路に沿って配設された近距離無線通信機能を有する通過情報送信手段から近距離無線通信機能を介して通過情報を取得するステップと、取得した通過情報を通過判断手段に送信して当該通過情報に基づいて正規の通路を通過してきたか否かを判断するステップとを備えたことを特徴とする通行管理方法。
【請求項１１】
通路に沿って配設された近距離無線通信機能を有する通過情報送信手段から近距離無線通信機能を介して通過情報を取得するステップと、取得した通過情報を通過判断手段に送信して当該通過情報に基づいて正規の通路を通過してきたか否かを判断するステップと、該通過判断手段で正規の通路を通過してきたと判断したときに入出管理手段で入室を許可するステップとを備えたことを特徴とする通行管理方法。
【請求項１２】
通路に沿って配設された近距離無線通信機能を有する通過情報送信手段から近距離無線通信機能を介して通過情報を取得するステップと、取得した通過情報を当該通過情報に基づいて正規の通路を通過してきたか否かを判断する通過判断手段に送信するステップとをコンピュータに実行させるためのプログラムであることを特徴とする携帯型情報処理装置用プログラム。
【発明の詳細な説明】
【技術分野】
【０００１】
本発明は、複数の通過情報送信手段を所定の順序で通過したか否かを検知する通行管理装置、通行管理方法及び携帯型情報処理装置用プログラムに関し、入室管理やウォーキングラリー又はカーラリー等に適用して好適なものである。
【背景技術】
【０００２】
この種の通行管理装置として、例えば特開平９−６８５５号公報に記載されているものが知られている。
この従来例には、通行者に予め設定された通行可能なゲートの変更を行う際、ホストコンピュータに、その通行者の個人データが再登録され、その再登録された個人データをもとに作成された登録データを、その通行者の通行の可否に変更のあるゲート装置に対してのみ再度ダウンロードし、その後、その通行者が所持するカードがその通行者の通行の可否に変更のあったゲートに設けられたゲート装置にアクセスしたときに、そのゲート装置が、通行者の識別番号に対応する通行有無フラグをもとに、通行可否情報の変更の有無を判断して、カードに記憶されている通行可否情報の書き換えを行うようにした通行管理システムが記載されている。
【発明の開示】
【発明が解決しようとする課題】
【０００３】
しかしながら、上記従来例にあっては、通行者が所持するカードに個人を識別するための識別情報と、通行管理が行われている場所の夫々に対応して、その通行者に予め設定された通行の可否を示す通行可否情報とを記憶しておき、通行者がゲートに設けられたゲート装置で、カードに記憶されている識別情報と通行可否情報とに基づいて通行の可否を判断するようにしているので、カードをゲート装置に設けたカード挿入口に挿入する必要があり、この操作が面倒であると共に、カードを偽造された場合に、偽造カードの使用を制限するセキュリティ機能を発揮することはできないという未解決の課題がある。
【０００４】
そこで、本発明は、上記従来例の未解決の課題に着目してなされたものであり、セキュリティ機能の高い通行管理装置、通行管理方法及び携帯型情報処理装置用プログラムを提供することを目的としている。
【課題を解決するための手段】
【０００５】
上記目的を達成するため、請求項１に係る通行管理装置は、通路に沿って配設された近距離無線通信機能を有する通過情報送信手段と、該通過情報送信手段の近距離無線通信機能と無線通信可能な近距離無線通信機能を有し、当該通過情報送信手段から所定の通過情報を取得する携帯型情報処理装置と、該携帯型情報処理装置で取得した通過情報に基づいて正規の通路を通過してきたか否かを判断する通過判断手段とを備えたことを特徴としている。
【０００６】
また、請求項２に係る通行管理装置は、通路に沿って配設された近距離無線通信機能を有する通過情報送信手段と、該通過情報送信手段の近距離無線通信機能と無線通信可能な近距離無線通信機能を有し、当該通過情報送信手段から所定の通過情報を取得する携帯型情報処理装置と、該携帯型情報処理装置の近距離無線通信機能と無線通信可能な近距離無線通信機能を有し、当該携帯型情報処理装置で取得した通過情報に基づいて正規の通路を通過してきたか否かを判断する通過判断手段と、該通過判断手段で正規の通路を通過してきたと判断したときに入室を許可する入出管理手段とを備えたことを特徴としている。
【０００７】
さらに、請求項３に係る通行管理装置は、請求項２に係る発明において、前記入出管理手段は、入室を許可したときに入出ドアを開状態に制御することを特徴としている。
さらにまた、請求項４に係る通行管理装置は、請求項２又は３の発明において、前記入出管理手段は、携帯型情報処理装置が取得した通過情報と携帯型情報処理装置の固有識別情報とに基づいて入出許可判断を行うように構成されていることを特徴としている。
【０００８】
なおさらに、請求項５に係る通行管理装置は、請求項２又は３の発明において、前記入出管理手段は携帯型情報処理装置の固有識別情報の照合を管理サーバに依頼するように構成されていることを特徴としている。
また、請求項６に係る通行管理装置は、請求項２乃至５の何れかの発明において、前記携帯型情報処理装置が、前記入出管理手段との無線通信が不可能な状態となってから所定時間経過したときに取得した通過情報を消去するように構成されていることを特徴としている。
【０００９】
さらに、請求項７に係る通行管理装置は、請求項１乃至５の何れかの発明において、前記携帯型情報処理装置が、所定の通過情報を受信してから所定時間内に他の通過情報送信手段及び通過判断手段の何れかと無線通信可能な状態とならないときに、取得した通過情報を消去するように構成されていることを特徴としている。
【００１０】
さらにまた、請求項８に係る通行管理装置は、請求項１乃至６の何れかの発明において、前記通過情報送信手段が、携帯型情報処理装置と近距離無線通信機能を介して無線通信を行ったときに、携帯型情報処理装置の固有識別情報が登録されたものであるか否かを判断し、登録されたものであるときに通過情報を携帯型情報処理装置に送信するように構成されていることを特徴としている。
【００１１】
なおさらに、請求項９に係る通行管理装置は、請求項１に係る発明において、前記通過情報送信手段が、ウォーキングラリー又はカーラリーの通過ポイントに配設され、通過判断手段がゴールに配設されていることを特徴としている。
また、請求項１０に係る通行管理方法は、通路に沿って配設された近距離無線通信機能を有する通過情報送信手段から近距離無線通信機能を介して通過情報を取得するステップと、取得した通過情報を通過判断手段に送信して当該通過情報に基づいて正規の通路を通過してきたか否かを判断するステップとを備えたことを特徴としている。
【００１２】
さらに、請求項１１に係る通行管理方法は、通路に沿って配設された近距離無線通信機能を有する通過情報送信手段から近距離無線通信機能を介して通過情報を取得するステップと、取得した通過情報を通過判断手段に送信して当該通過情報に基づいて正規の通路を通過してきたか否かを判断するステップと、該通過判断手段で正規の通路を通過してきたと判断したときに入出管理手段で入室を許可するステップとを備えたことを特徴としている。
【００１３】
さらにまた、請求項１２に係る携帯型情報処理装置用プログラムは、通路に沿って配設された近距離無線通信機能を有する通過情報送信手段から近距離無線通信機能を介して通過情報を取得するステップと、取得した通過情報を当該通過情報に基づいて正規の通路を通過してきたか否かを判断する通過判断手段に送信するステップとをコンピュータに実行させるためのプログラムであることを特徴としている。
【発明を実施するための最良の形態】
【００１４】
以下、本発明の実施の形態を図面に基づいて説明する。
図１は本発明の一実形態を示す概略構成図であり、図中、１は入室者に制限があり、特定者のみが入室可能となるように入室管理が行われている入室管理部屋であって、通路２側に入室口３及び退出口４が設けられている。入室口３には、ドアロック機構を有する自動開閉ドア５が設けられ、退出口４には入室は阻止され退出のみが可能なゲート６が設けられている。
【００１５】
また、入室管理部屋１に対して入室が許可された入室許可者は、携帯型情報処理手段としての携帯型情報処理端末７を携帯すると共に、通路２の入室口３から離れた例えば他の部屋を介した通路部８の側壁、天井、床等に通過情報送信手段としての通過情報送信装置９が外部から視認不可能に配設され、入室管理部屋１の入室口３には、自動ドア５の通路２側に通過判断手段及び入室管理手段を構成するドアロック解除装置１０が配設されている。
【００１６】
携帯型情報処理端末７は、図２に示すように、システムバス１１にマイクロコンピュータを構成する中央演算処理装置１２、ＲＡＭ１３及びフラッシュメモリ等で構成される不揮発性メモリ１４と、例えば２．４ＧＨｚのＩＳＭ（Industrial Scientific Medical）帯を搬送波周波数に使用して、半径１０ｍ〜１５ｍ程度の範囲内における他の近距離無線通信モジュールとの間で小規模無線ネットワークを形成して、情報の送受信を行うことができる例えば送信回路及び受信回路を有するＲＦ部を備えた近距離無線通信モジュール１５とが接続された構成を有する。ここで、不揮発性メモリ１４には、通信制御プログラムが格納されていると共に、通過情報送信装置９から送信される所定の認証コード及び携帯型情報処理端末７に固有のＭＡＣ（Media Access Control)アドレス等の識別コード等が記憶される。
【００１７】
そして、中央演算処理装置１２では、不揮発性メモリ１４に格納された通信プログラムに従って図３に示す通信制御処理を実行する。
この通信制御処理は、先ず、ステップＳ１で、外部の近距離無線通信モジュールとＭＡＣアドレスを互いに照合することにより、通信リンクを確立して通信可能な状態であるか否かを判定し、通信リンクが確立されていないときにはこれが確立されるまで待機し、通信リンクが確立されて通信可能状態であるときにはステップＳ２に移行して、通信相手が通過情報送信装置９であるか否かを判定する。この場合の判定は、通信リンクが確立したときに、互いに装置識別コードを含むパケットの送受信を行うことにより行い、装置識別コードが通過情報送信装置９を表すものであるか否かを判定する。
【００１８】
このステップＳ２の判定結果が、通過情報送信装置９であるときには、ステップＳ３に移行して、予め設定された認証コードを要求するリクエストデータを通過情報送信装置９に送信し、次いでステップＳ４に移行して、通過情報送信装置９から認証コードを受信したか否かを判定し、認証コードを受信していないときには認証コードを受信するまで待機し、認証コードを受信したときにはステップＳ５に移行する。
【００１９】
このステップＳ５では、受信した認証コードを不揮発性メモリ１４の認証コード記憶領域に記憶し、次いでステップＳ６に移行して、不揮発性メモリ１４に格納されている入室中状態を表す入室中状態フラグをクリアしてから通信制御処理を終了してステップＳ１に戻る。
また、前記ステップＳ２の判定結果が、通過情報送信装置９ではないときには、ステップＳ７に移行して、通信相手がドアロック解除装置１０であるか否かを判定し、ドアロック解除装置１０ではないときには前記ステップＳ１に戻り、ドアロック解除装置１０であるときにはステップＳ８に移行する。
【００２０】
このステップＳ８では、不揮発性メモリ１４から認証コードを読込み、次いでステップＳ９に移行して、認証コードを近距離無線通信モジュール１５に出力して、ドアロック解除装置１０に送信する。
次いで、ステップＳ１０に移行して、入室中状態フラグがセットされているか否かを判定し、入室中状態フラグがクリアされているときにはステップＳ１１に移行して、入室中状態フラグをセットして不揮発性メモリ１４に書込んでから通信制御処理を終了して前記ステップＳ１に戻る。
【００２１】
また、ステップＳ１０の判定結果が、入室中状態フラグがセットされているときには、ステップＳ１２に移行して、通信可能状態が継続しているか否かを判定し、通信可能状態が継続しているときには通信不可能状態となるまで待機し、通信不可能状態となると、ステップＳ１３に移行して、通信不可能状態となってから所定時間が経過したか否かを判定し、所定時間が経過していないときにはこれが経過するまで待機し、所定時間が経過したときにはステップＳ１４に移行する。
【００２２】
このステップＳ１４では、不揮発性メモリ１４に記憶されている認証コードを消去し、次いでステップＳ１５に移行して、入室中フラグをクリアしてから通信制御処理を終了してステップＳ１に戻る。
また、通過情報送信装置９は、図４に示すように、システムバス２１に中央演算処理装置２２、ＲＡＭ２３及びフラッシュメモリ等で構成される不揮発性メモリ２４と、例えば２．４ＧＨｚのＩＳＭ（Industrial Scientific Medical）帯を搬送波周波数に使用して、半径１０ｍ〜１５ｍ程度の範囲内における他の近距離無線通信モジュールとの間で小規模無線ネットワークを形成して、情報の送受信を行うことができる例えば送信回路及び受信回路を有するＲＦ部を備えた近距離無線通信モジュール２５と、ＬＡＮコントローラ２６とが接続された構成を有する。ここで、不揮発性メモリ２４には、通信制御プログラムが格納されていると共に、携帯型情報処理端末７に送信する所定の認証コード及び通過情報送信装置９に固有のＭＡＣアドレス等の識別コード等が記憶される。また、ＬＡＮコントローラ２６は、有線又は無線で認証コードを照合する認証コード専用サーバ２８に接続されている。この通過情報送信装置９は、携帯型情報処理端末１０との間で通信リンクが確立されたときに、携帯型情報処理端末７から識別コードを読込み、この識別コードを認証コード専用サーバ２８に送信して、入室管理部屋１に対する入室資格の有無を確認し、入室資格があるときに所定の認証コードを携帯型情報処理端末７に送信する。
【００２３】
この通過情報送信装置９の中央演算処理装置２２では、図５の通過情報送信処理を実行する。この通過情報送信処理は、先ず、ステップＳ２１で、携帯型情報処理端末７の近距離無線通信モジュール１５とＭＡＣアドレスを互いに照合することにより、通信リンクを確立して通信可能な状態であるか否かを判定し、通信リンクが確立されていないときには通過情報送信装置９の近傍に携帯型情報処理端末７が存在しないものと判断して通過情報送信処理を終了して前記ステップＳ２１に戻り、通信リンクが確立されて携帯型情報処理端末７と通信可能な状態であるときにはステップＳ２２に移行する。
【００２４】
このステップＳ２２では、携帯型情報処理端末７に対して通過情報送信装置９であることを表す識別コードを送信してからステップＳ２３に移行し、携帯型情報処理端末７からリクエストデータを受信したか否かを判定し、リクエストデータを受信していないときにはステップＳ２４に移行して、通信リンクが確立してから所定時間が経過したか否かを判定し、所定時間が経過していないときには前記ステップＳ２３に戻り、所定時間が経過したときにはステップＳ２５に移行して、確立されている通信リンクを解放してから通過情報送信処理を終了して前記ステップＳ２１に戻る。
【００２５】
また、前記ステップＳ２３の判定結果が、リクエストデータを受信したものであるときにはステップＳ２６に移行して、自己のＭＡＣアドレス及び取得した携帯型情報処理端末７のＭＡＣアドレスを認証コード専用サーバ２８へ送信して照合依頼を行う。
次いで、ステップＳ２７に移行して、認証コード専用サーバ２８から照合結果を受信したか否かを判定し、照合結果を受信していないときにはこれを受信するまで待機し、照合結果を受信したときにはステップＳ２８に移行して、通信リンクが確立している携帯型情報処理端末７に入室管理部屋１に対する入室資格があるか否かを判定し、入室資格がないときには前記ステップＳ２５に移行し、入室資格があるときにはステップＳ２９に移行して、予め設定された認証コードを近距離無線通信モジュール２５を介して携帯型情報処理端末７に送信してから前記ステップＳ２５に移行する。
【００２６】
さらに、ドアロック解除装置１０は、図６に示すように、システムバス３１にマイクロコンピュータを構成する中央演算処理装置３２、ＲＡＭ３３及びフラッシュメモリ等で構成される不揮発性メモリ３４と、例えば２．４ＧＨｚのＩＳＭ（Industrial Scientific Medical）帯を搬送波周波数に使用して、半径１０ｍ〜１５ｍ程度の範囲内における他の近距離無線通信モジュールとの間で小規模無線ネットワークを形成して、情報の送受信を行うことができる例えば送信回路及び受信回路を有するＲＦ部を備えた近距離無線通信モジュール３５と、自動ドア５のドアロックを制御するドアロック機構３６と、ＬＡＮコントローラ３７とが接続された構成を有する。ここで、ＬＡＮコントローラ３７は、有線又は無線で認証コードを照合する認証コード専用サーバ２８に接続されている。
【００２７】
このドアロック解除装置１０の中央演算処理装置３２では、図７に示すドアロック解除処理を実行する。
このドアロック解除処理は、先ず、ステップＳ３１で、携帯型情報処理端末７の近距離無線通信モジュール１５とＭＡＣアドレスを互いに照合することにより、通信リンクを確立して通信可能な状態であるか否かを判定し、通信リンクが確立されていないときには通過情報送信装置９の近傍に携帯型情報処理端末７が存在しないものと判断して通過情報送信処理を終了して前記ステップＳ３１に戻り、通信リンクが確立されて携帯型情報処理端末７と通信可能な状態であるときにはステップＳ３２に移行する。
【００２８】
このステップＳ３２では、携帯型情報処理端末７のＭＡＣアドレスが照合済みＭＡＣアドレス記憶領域に記憶されているか否かを判定し、照合済みＭＡＣアドレス記憶領域に記憶されているときには照合済みであるものと判断してそのままドアロック解除処理を終了して前記ステップＳ３１に戻り、照合済みＭＡＣアドレス記憶領域に携帯型情報処理端末７のＭＡＣアドレスが記憶されていないときには未照合であると判断してステップＳ３３に移行する。
【００２９】
このステップＳ３３では、携帯型情報処理端末７に対してドアロック解除装置を表す識別コードを送信し、次いでステップＳ３４に移行して、携帯型情報処理端末７から認証コードを受信したか否かを判定し、認証コードを受信していないときにはステップＳ３５に移行して、識別コードを送信してから所定時間が経過したか否かを判定し、所定時間が経過していないときには前記ステップＳ３４に戻り、所定時間が経過したときには通信リンクを確立している携帯型情報処理端末７に認証コードが登録されていないものと判断してドアロック解除処理を終了して前記ステップＳ３１に戻る。
【００３０】
一方、ステップＳ３４の判定結果が、携帯型情報処理端末７から認証コードを受信したときには、ステップＳ３６に移行して、自己のＭＡＣアドレス、携帯型情報処理端末７のＭＡＣアドレス及び認証コードを認証コード専用サーバ２８へ送信して通信リンクが確立している携帯型情報処理端末７に入室管理部屋１に対する入室資格があるか否かを照合する照合依頼を行う。
【００３１】
次いで、ステップＳ３７に移行して、認証コード専用サーバ２８から照合結果を受信したか否かを判定し、照合結果を受信していないときにはこれを受信するまで待機し、照合結果を受信したときにはステップＳ３８に移行する。
このステップＳ３８では、通信リンクが確立している携帯型情報処理端末７に入室管理部屋１に対する入室資格があるか否かを判定し、入室資格がないときにはステップＳ３９に移行して自動開閉ドア５のドアロック機構３６によるドアロック状態を継続してからステップＳ４０に移行して、通信リンクを確立している携帯型情報処理端末７のＭＡＣアドレスを照合済みアドレス管理テーブルに登録してからドアロック解除処理を終了して前記ステップＳ３１に戻り、入出資格があるときにはステップＳ４１に移行して、自動開閉ドア５のドアロック機構３６に対してドアロック解除信号を出力してから前記ステップＳ４０に移行する。
【００３２】
この図７の処理において、ステップＳ３１〜ステップＳ３８の処理が通過判断手段に対応し、ステップＳ３９及びＳ４１の処理と自動開閉ドア５及びドアロック機構３６とで入出管理手段に対応している。
次に、上記実施形態の動作を説明する。
今、入室管理部屋１に対して入室資格を有する入室有資格者５０が入室管理部屋１に入室する場合には、入室有資格者５０が自己に割り当てられた携帯型情報処理端末７を携帯して例えば入室管理部屋１に向かう通路５１を入室管理部屋１に向かって歩行しているものとする。この入室有資格者５０には、予め入室管理部屋１に入室するには所定通路部８を通過しなければないことが指示されており、入室有資格者５０は所定通路部８への曲がり角を曲がって通路部８に入り、そのまま通路５１とは反対側の通路５２に向かって歩行する。この間の歩行状態では、携帯型情報処理端末７の近辺にはその近距離無線通信モジュール１５と通信リンクを確立できる近距離無線通信モジュールを有する機器が配設されていないので、携帯型情報処理端末７では、通信リンクを確立できるまで待機状態となっている。
【００３３】
そして、入室有資格者５０が通路部８に外部から視認不可能に配設された通過情報送信装置９の近傍に達すると、携帯型情報処理端末７の近距離無線通信モジュール１５と通過情報送信装置９の近距離無線通信モジュール２５との間で通信リンクが確立されることにより、通過情報送信装置９から識別コードが携帯型情報処理端末７に送信される。このため、携帯型情報処理端末７では、図３の通信制御処理で、通過情報送信装置９を認識するので、ステップＳ２からステップＳ３に移行し、認証コードを要求するリクエストデータを通過情報送信装置９に送信する。このリクエストデータを通過情報送信装置９で受信すると、通信リンク確立時に取得した携帯型情報処理端末７のＭＡＣアドレスを認証コード専用サーバ２８へ送信して入室管理部屋１に対する入室資格の有無を照合する照合依頼を行い、入室有資格者であるので、認証コード専用サーバ２８から入室資格有りの照合結果を受信することにより、ステップＳ２８からステップＳ２９に移行して予め設定された認証コードを携帯型情報処理端末７に送信する。
【００３４】
携帯型情報処理端末７では認証コードを受信すると、受信した認証コードを不揮発性メモリ１４の認証コード記憶領域に記憶すると共に、入室中フラグをクリアして通信制御処理を終了する。
以上の処理が入室有資格者５０が通過情報送信装置９を通過する間に行われ、その後、入室有資格者５０が通路５２に突き当たって、これを左折してから入室管理部屋１の前の通路２に入り、退出口４を通りすぎて、ドアロック解除装置１０の近傍に到達すると、携帯型情報処理端末７の近距離無線通信モジュール１５とドアロック解除装置１０の近距離無線通信モジュール３５との間で通信リンクが確立される。
【００３５】
このとき、入室有資格者５０が初めてドアロック解除装置１０に到来したので、図７のドアロック解除処理において、ステップＳ３２からステップＳ３３に移行し、ドアロック解錠装置１０を表す識別コードを携帯型情報処理端末７に送信する。携帯型情報処理端末７では識別コードを受信することにより、通信相手がドアロック解除装置１０であることを認識するため、ステップＳ７からステップＳ８に移行して、不揮発性メモリ１４の認証コード記憶領域に記憶されている認証コードを読込み、これを近距離無線モジュール１５に出力することにより、ドアロック解除装置１０の近距離無線モジュール３５に送信し、次いで入室中状態フラグをセットしてこれを不揮発性メモリ１４に書込む。
【００３６】
ドアロック解除装置１０では携帯型情報処理端末７から認証コードを受信すると、自己のＭＡＣアドレス、携帯型情報処理端末７のＭＡＣアドレス及び認証コードを認証コード専用サーバ２８に送信して入室資格の有無を照合する照合依頼を行い、入室有資格者５０であるので、入室資格を有する旨の照合結果が認証コード専用サーバ２８から得られ、これによってステップＳ３８からステップＳ４１に移行して、自動開閉ドア５のドアロック機構３６に対してドアロック解除指令を出力し、次いで携帯型情報処理端末７のＭＡＣアドレスを照合済みアドレス管理テーブルに登録する。
【００３７】
したがって、その後に入室有資格者５０の携帯型情報処理端末７との通信リンクが確立されている状態を維持しても、ステップＳ３２からそのままドアロック解除処理を終了することになり、他の携帯型情報処理端末７との通信リンクが確立されると、その携帯型情報処理端末７についてドアロック解除処理を実行する。
【００３８】
一方、自動開閉ドア５では、ドアロック解除装置１０からドアロック機構３６に対してドアロック解除指令が入力されることにより、自動開閉ドア５のロック状態を解除して自動開閉ドア５を開状態に制御し、これにより入室有資格者５０が入室管理部屋１内に入室することができる。そして、入室有資格者５０が入室管理部屋１内に入室すると、自動開閉ドア５が閉じ、ドアロック機構３６によってロック状態に復帰する。
【００３９】
このように、入室有資格者５０が室内に入り、自動開閉ドア５が閉じると、携帯型情報処理端末７の近距離無線通信モジュール１５とドアロック解除装置１０の近距離無線通信モジュール１５との通信リンクが解放されることになり、ドアロック解除装置１０では携帯型情報処理端末７との通信リンクが解放されることにより、正午済みアドレス管理テーブルに登録されている該当するＭＡＣアドレスを消去し、携帯型情報処理端末７では、ドアロック解除装置１０との通信が不可能な状態となってから所定時間が経過したときに不揮発性メモリ１４の認証コード記憶領域に記憶されている認証コードを消去し、入室中フラグをクリアして通信制御処理を終了する。
【００４０】
このため、入室管理部屋１内に入室した入室有資格者５０が退出口４の退出のみが可能なゲート６から退室した後に、再度入室しようとしてドアロック解除装置１０の近傍に移動したときには、その不揮発性メモリ１４の認証コード記憶領域に認証コードが記憶されていないので、ドアロック解除装置１０との間で通信リンクが確立しても認証コードを送信することができず、ドアロック解除装置１０側で所定時間以上認証コードの受信ができない場合にドアロック解除処理を終了するので、自動開閉ドア５のドアロック機構３６にロック解除指令が出力されることはなく、自動開閉ドア５はドアロック状態を継続し、入室有資格者５０でも入室管理部屋１への入室が拒否される。
【００４１】
したがって、入室管理部屋１から退室した入室有資格者５０が再度入室するには、前述したように通路８に配設された通過情報送信装置９の近傍を通過するか近傍に行ってから戻ることにより、不揮発性メモリ１４の認証コード記憶領域に認証コードを書込んでから再度ドアロック解除装置１０の近傍まで戻ることにより、再度入室管理部屋１への入室が許可される。
【００４２】
したがって、入室管理部屋１への入室資格を有する入室有資格者５０の携帯型情報処理端末７を不正に取得した第３者が入室管理部屋１への入室を試みた場合は、通過情報送信装置９の存在が分からないので、認証コードを取得することができず、結果としてドアロック解除装置１０によって入室管理部屋１への入室が拒否される。
【００４３】
同様に、入室有資格者５０の所持している携帯型情報処理端末７を不正に入手して、不揮発性メモリ１４に記憶されている内容をコピーして携帯型情報処理端末７を不正に作成した場合にも、通過情報送信装置９の存在が分からないので、認証コードを取得することができず、結果としてドアロック解除装置１０によって入室管理部屋１への入室が拒否される。
【００４４】
また、入室資格の無い入室無資格者が、通過情報送信装置９の近傍に行った場合には、入室無資格者の所持する携帯型情報処理端末７のＭＡＣアドレスを認証コード専用サーバ２８に送信して入室管理部屋１への入室資格の有無を照合したときに、照合結果が入室無資格者となることにより、通過情報送信装置９から認証コードが送信されることはなく、この入室無資格者が入室管理部屋１のドアロック解除装置１０の近傍に行っても入室が拒否される。
【００４５】
なお、上記実施形態においては、認証コードを通過情報送信装置９の不揮発性メモリ２４に保持している場合について説明したが、これに限定されるものではなく、通過情報送信装置９及びドアロック解除装置１０が共に認証コード専用サーバ２８に接続されていることから、認証コード専用サーバ２８で照合した結果が入室有資格者であるときに、任意の認証コードを発行し、これを認証コード専用サーバ２８内に入室有資格者の携帯型情報処理端末７のＭＡＣアドレスと共に所定の管理テーブルに登録すると共に、発行した認証コードを通過情報送信装置９の不揮発性メモリ１４に記憶し、ドアロック解除装置１０から携帯型情報処理端末７のＭＡＣアドレス及び認証コードを受信したときに管理テーブルを参照して照合するようにしてもよく、この場合にはさらにセキュリティ効果を高めることができる。
【００４６】
また、上記実施形態においては、入室管理部屋１が１つである場合について説明したが、これに限定されるものではなく、複数の入室管理部屋を有する場合には、入室管理部屋で共通の認識コードを使用しても、入出管理部屋毎に異なる認証コードを使用するようにしてもよく、共通の認識コードを使用する場合には、通過情報送信装置９は一つ設けるようにすればよく、異なる認証コードを使用する場合には、認証コード数に応じた数の通過情報送信装置９を配置すればよく、複数の入室管理部屋に順次入室する場合には、複数の認証コードを携帯型情報処理端末７の認証コード記憶領域に順次記憶し、入室管理部屋に入室する毎に該当する認証コードを消去するようにすればよい。さらには１つの入室管理部屋１に対して複数の異なる認証コードを送信する通過情報送信装置９を配置して、複数の認証コードを携帯型情報処理端末７の不揮発性メモリ１４の認証コード記憶領域に記憶し、ドアロック解除装置１０で全ての認証コードが合致したとき又は認証コードの記憶順序も一致したときに入室許可するようにすればより高いセキュリティ効果を発揮することができる。
【００４７】
さらに、上記実施形態においては、入室管理部屋１から退室する場合には、認証を省略した場合について説明したが、これに限定されるものではなく、入室管理部屋１の室内に外部から視認不可能に通過情報送信装置９を配置し、この通過情報送信装置９で入室有資格者の携帯型情報処理端末７に退出口４用の認証コードを送信し、退出口４の室内側にドアロック解除装置１０と同様の構成を有するドアロック解除装置を設けて、退室時にも認証処理を行うようにしてもよい。
【００４８】
さらにまた、上記実施形態においては、室内の入室管理部屋１を管理対象とした場合について説明したが、これに限定されるものではなく、建物自体の入退室管理を行うこともでき、さらにウォーキングラリーやカーラリーにおける複数の通過ポイントに夫々通過情報送信装置９を配設し、ゴールに通過ポイントの通過を判断する図７のステップＳ３１〜ステップＳ３７の処理を行い、且つステップＳ３８で各通過ポイントを所定順序で通過したか否かを判定し、且つ通過ポイントを正規の順序で通過したときに、ラリーを完走したことを表示したり、通過ポイント数に応じて得点を表示したりするようにしてもよい。また、迷路ゲームで複数のチェックポイントを設定した場合には、各チェックポイントを全て通過したときだけゴールに配設したドアを開くように設定したり、未通過のチェックポイントを表示したりすることができる。
【００４９】
なおさらに、上記実施形態においては、携帯型情報処理端末７を適用した場合について説明したが、近距離無線通信機能及びメモリ機能を有するＩＣカードや近距離無線通信機能を有する携帯電話機等の携帯型機器を適用することができる。
また、上記実施形態においては、入室管理部屋１への入室をドアロック解除装置１０で行う場合について説明したが、これに限定されるものではなく、入室管理が行われているゾーンに車両、船舶、飛行機等の乗り物で移動する場合に、その乗り物の乗り場にドアロック解除装置１０を配設して、車両への乗車資格の有無を判断して、乗車有資格者だけ車両ドアを開閉するようにしてもよい。
【００５０】
さらに、上記実施形態においては、通過情報送信装置９で認証コードを取得してからドアロック解除装置１０に到達するまでに時間制限がない場合について説明したが、これに限定されるものではなく、通過情報送信装置９からドアロック解除装置１０に達するまでの時間に余裕分を加算した所定時間が経過するまでの間にドアロック解除装置１０との通信が可能な状態とならないときに、認証コードを消去する機能を付加することにより、より高度のセキュリティ機能を発揮することができる。
【００５１】
さらにまた、上記実施形態においては、近距離無線通信機能としてＩＳＭ帯の近距離無線通信モジュールを適用した場合について説明したが、これに限定されるものではなく、無線ＬＡＮ等の他の任意の近距離無線通信機能を適用することができる。
なおさらに、上記実施形態においては、通過情報送信装置９で通過情報として認証コードのみを携帯型情報処理端末７に送信する場合について説明したが、これに限定されるものではなく、認証コードに優先順位、有効期限、有効回数などの付加情報を付加するようにしてもよい。
【００５２】
以上説明したように、請求項１、１０又は１２に係る通行管理装置又は方法によれば、所定の通路を通過して携帯型情報処理装置で通過情報送信手段から通過情報を取得した否かを通過判断手段で判断し、単に認証情報による判断だけではなく、通過情報送信手段の近傍を通過しない限り、通過情報を取得できないので、高度のセキュリティ機能を発揮することができるという効果が得られる。
【００５３】
また、請求項２又は１１に係る通行管理装置又は方法によれば、請求項１に係る発明に加えて、通過判断手段で正規の通路を通過してきたと判断したときに入室を許可する入出管理手段を有するので、単に携帯型情報処理装置を携帯しているだけでは入室が許可されず、携帯型情報処理装置を不正に取得したり、携帯型情報処理装置の記憶情報をコピーしたりした場合でも通過情報送信装置の存在を知らない場合には入室が許可されず、より高度のセキュリティ機能で発揮しながら入室管理を行うことができるという効果が得られる。
【００５４】
さらに、請求項３に係る通行管理装置によれば、入出管理手段は、入室を許可したときに入出ドアを開状態に制御するので、入室有資格者のみが入出ドアを通って室内に入室することができるという効果が得られる。
さらにまた、請求項４に係る通行管理装置によれば、入出管理手段は、携帯型情報処理装置が取得した通過情報と携帯型情報処理装置の固有識別情報とに基づいて入出許可判断を行うように構成されていることを特徴とする請求項２又は３に記載の通行管理装置。
【００５５】
なおさらに、請求項５に係る通行管理装置によれば、入出管理手段が、携帯型情報処理装置が取得した通過情報及び携帯型情報処理装置の固有識別情報の照合を管理サーバに依頼するように構成されているので、通過情報及び固有識別情報の変更を管理サーバ側で任意に行うことができると共に、通過情報を任意に変更することにより、入出管理手段の記憶情報を不正に取得しても入室許可を得ることはできず、よりセキュリティの高い入出管理を行うことができるという効果が得られる。
【００５６】
また、請求項６に係る通行管理装置によれば、携帯型情報処理装置が、前記入出管理手段との無線通信が不可能な状態となってから所定時間経過したときに取得した通過情報を消去するように構成されているので、携帯型情報処理装置側に通過情報が記憶されることができ、この携帯型情報処理装置を不正に取得しても通過情報を解読することはできないという効果が得られる。
【００５７】
さらに、請求項７に係る通行管理装置によれば、携帯型情報処理装置が、所定の通過情報を受信してから所定時間内に他の通過情報送信手段及び通過判断手段の何れかと無線通信可能な状態とならないときに、取得した通過情報を消去するように構成されているので、通過情報を取得してから所定時間内に通過判断手段に到達しない場合には通過判断が行われないことになり、よりセキュリティ機能を向上させることができるという効果が得られる。
【００５８】
さらにまた、請求項８に係る通行管理装置によれば、通過情報送信手段が、携帯型情報処理装置と近距離無線通信機能を介して無線通信を行ったときに、携帯型情報処理装置の固有識別情報が登録されたものであるか否かを判断し、登録されたものであるときに通過情報を携帯型情報処理装置に送信するように構成されているので、単に通過情報を送信する場合に比較して通行有資格者のみに通過情報を送信することができ、よりセキュリティ機能を向上させることができる。
【００５９】
なおさらに、請求項９に係る通行管理装置によれば、通過情報送信手段がウォーキングラリー又はカーラリーの通過ポイントに配設され、通過判断手段がゴールに配設されているので、入出管理の他、ウォーキングラリーやカーラリーその他の通過ポイントを通過することが条件となるゲームに本発明を適用することができるという効果が得られる。
【図面の簡単な説明】
【００６０】
【図１】本発明の一実施形態を示す概略構成図である。
【図２】図１の携帯型情報処理端末を示すブロック図である。
【図３】図２の携帯型情報処理端末における通信制御処理手順を示すフローチャートである。
【図４】図１の通過情報送信装置を示すブロック図である。
【図５】図４の通過情報送信装置における通過情報送信処理手順を示すフローチャートである。
【図６】図１のドアロック解除装置を示すブロック図である。
【図７】図６のドアロック解除装置におけるドアロック解除処理手順を示すフローチャートである。
【符号の説明】
【００６１】
１…入室管理部屋、２…通路、３…入室口、４…退出口、５…自動開閉ドア、７…携帯型情報処理端末、８…通路部、９…通過情報送信装置、１０…ドアロック解除装置、１５，２５，３５…近距離無線通信モジュール、２８…認証コード専用サーバ、３６…ドアロック機構。
【図１】
2007265454.tif 000003
【図２】
2007265454.tif 000004
【図３】
2007265454.tif 000005
【図４】
2007265454.tif 000006
【図５】
2007265454.tif 000007
【図６】
2007265454.tif 000008
【図７】
2007265454.tif 000009
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
通路に沿って複数配設した近距離無線通信が可能な通過情報送信装置と、
前記通過情報送信装置と無線通信可能な携帯型情報処理装置と、
前記携帯型情報処理装置と無線通信可能な認証コード専用サーバと、
を用い、
前記携帯型情報処理装置が予め定められた前記通過情報送装置から通過情報を受け取る、第１の処理と、
前記認証コード専用サーバが前記携帯型情報処理装置から前記通過情報を受け取る、第２の処理と、
前記認証コード専用サーバが前記通過情報に基づいて正規の通路を通過してきたかどうかを判断する、第３の処理と、
を含む通行管理方法。
【請求項２】
前記第１の処理は、
前記携帯型情報処理装置が行う、前記通過情報送信装置から第１の識別コードを受信し、前記第１の識別コードが予め定められた前記通過情報送信装置のものであることを判断した場合に、前記通過情報送信装置に対して前記通過情報を要求する第４の処理と、
前記携帯型情報処理装置が行う、前記要求に対応して受信した前記通過情報を記憶する第５の処理と、
を含む請求項１に記載の通行管理方法。
【請求項３】
前記通過情報送信手段と前記認証コード専用サーバは、無線もしくは有線によるネットワークで接続されており、
前記第１の処理は、
前記通過情報送信装置が行う、前記携帯型情報処理装置から第２の識別コードを受信し、前記ネットワークを介して前記認証コード専用サーバに前記第２の識別コード送信する第６の処理と、
前記認証コード専用サーバが行う、前記第２の識別コードから許可を与えるべき対象であるかどうかを判断し、前記ネットワークを介して前記通過情報送信装置に判断結果を送信する第７の処理と、
前記通過情報送信装置が行う、前記判断結果を受信し、前記判断結果が前記許可を与えるべき対象である場合に、前記携帯型処理装置に前記通過情報を送信する第８の処理と、
を含む、請求項１又は２のいずれかに記載の通行管理方法。
【請求項４】
請求項１乃至３に記載の通行管理方法は、更に扉の鍵を制御可能な入室管理装置を用い、
前記第３の処理は、
前記認証コード専用サーバが行う、前記携帯型情報処理装置が前記正規の通路を経由してきたと判断した場合に前記入室管理装置に前記扉の鍵の解除を指示する信号を送信する第９の処理と、
を含む、通行管理方法。
【請求項５】
前記通行情報は、前記認証コード専用サーバが管理する認証コードである、請求項１乃至４のいずれかに記載の通行管理方法。
【請求項６】
それぞれの制御用コンピュータを有する、
通路に沿って複数配設した近距離無線通信が可能な通過情報送信装置と、
前記通過情報送信装置と無線通信可能な携帯型情報処理装置と、
前記携帯型情報処理装置と無線通信可能な制御認証コード専用サーバと、
によって行われる、
前記携帯型情報処理装置が予め定められた前記通過情報送装置から通過情報を受け取る、第１の処理と、
前記認証コード専用サーバが前記携帯型情報処理装置から前記通過情報を受け取る、第２の処理と、
前記認証コード専用サーバが前記通過情報に基づいて正規の通路を通過してきたかどうかを判断する、第３の処理と、
のそれぞれの機能に応じた処理を、前記それぞれの制御用コンピュータに実行させるコンピュータプログラム。
【請求項７】
前記第１の処理を実行するコンピュータプログラムは、
前記携帯型情報処理装置が行う、前記通過情報送信装置から第１の識別コードを受信し、前記第１の識別コードが予め定められた前記通過情報送信装置のものであることを判断した場合に、前記通過情報送信装置に対して前記通過情報を要求する第４の処理と、
前記携帯型情報処理装置が行う、前記要求に対応して受信した前記通過情報を記憶する第５の処理と、
を実行するコンピュータプログラム含む、請求項６に記載のコンピュータプログラム。
【請求項８】
前記通過情報送信手段と前記認証コード専用サーバは、無線もしくは有線によるネットワークで接続されており、
前記第１の処理を実行させるコンピュータプログラムは、
前記通過情報送信装置が行う、前記携帯型情報処理装置から第２の識別コードを受信し、前記ネットワークを介して前記認証コード専用サーバに前記第２の識別コード送信する第６の処理と、
前記認証コード専用サーバが行う、前記第２の識別コードから許可を与えるべき対象であるかどうかを判断し、前記ネットワークを介して前記通過情報送信装置に判断結果を送信する第７の処理と、
前記通過情報送信装置が行う、前記判断結果を受信し、前記判断結果が前記許可を与えるべき対象である場合に、前記携帯型処理装置に前記通過情報を送信する第８の処理と、
を実行するコンピュータプログラム含む、請求項６又は７のいずれかに記載のコンピュータプログラム。
【請求項９】
更に扉の鍵を制御可能な、制御用コンピュータを有する入室管理装置を用い、
前記第３の処理を実行するコンピュータプログラムは、
前記認証コード専用サーバが行う、前記携帯型情報処理装置が前記正規の通路を経由してきたと判断した場合に前記入室管理装置に前記扉の鍵の解除を指示する信号を送信する第９の処理と、
を実行するコンピュータプログラム含む、請求項６乃至８のいずれかに記載のコンピュータプログラム。
【請求項１０】
前記通行情報は、前記認証コード専用サーバが管理する認証コードである、請求項６乃至９のいずれかに記載のコンピュータプログラム。
【手続補正３】
【補正対象書類名】明細書
【補正対象項目名】０００５
【補正方法】変更
【補正の内容】
【０００５】
上記目的を達成するために、本願発明に係るひとつの通行管理方法は、通路に沿って複数配設した近距離無線通信が可能な通過情報送信装置と、前記通過情報送信装置と無線通信可能な携帯型情報処理装置と、前記携帯型情報処理装置と無線通信可能な認証コード専用サーバとを用い、前記携帯型情報処理装置が予め定められた前記通過情報送装置から通過情報を受け取る第１の処理と、前記認証コード専用サーバが前記携帯型情報処理装置から前記通過情報を受け取る第２の処理と、前記認証コード専用サーバが前記通過情報に基いて正規の通路を通過してきたかどうかを判断する第３の処理と、を含む。
前記第１の処理は、前記携帯型情報処理装置が行う、前記通過情報送信装置から第１の識別コードを受信し前記第１の識別コードが予め定められた前記通過情報送信装置のものであることを判断した場合に前記通過情報送信装置に対して前記通過情報を要求する第４の処理と、前記携帯型情報処理装置が行う前記要求に対応して受信した前記通過情報を記憶する第５の処理と、を含むことが好ましい。
また、上記のひとつの通行管理方法は、前記通過情報送信手段と前記認証コード専用サーバは、無線もしくは有線によるネットワークで接続されており、前記第１の処理は、前記通過情報送信装置が行う、前記携帯型情報処理装置から第２の識別コードを受信し前記ネットワークを介して前記認証コード専用サーバに前記第２の識別コード送信する第６の処理と、前記認証コード専用サーバが行う、前記第２の識別コードから許可を与えるべき対象であるかどうかを判断し前記ネットワークを介して前記通過情報送信装置に判断結果を送信する第７の処理と、前記通過情報送信装置が行う、前記判断結果を受信し前記判断結果が前記許可を与えるべき対象である場合に前記携帯型処理装置に前記通過情報を送信する第８の処理と、を含むことが好ましい。
また、上記のひとつの運行管理方法は、更に扉の鍵を制御可能な入室管理装置を用い、前記第３の処理は、前記認証コード専用サーバが行う、前記携帯型情報処理装置が正規ルートを経由してきたと判断した場合に前記入室管理装置に前記扉の鍵の解除を指示する信号を送信する第９の処理と、を含むことが好ましい。
また、上記のひとつの通行管理方法において、前記通行情報は、前記認証コード専用サーバが管理する認証コードであることが好ましい。
上記目的を達成するために、本願発明に係るひとつのコンピュータプログラムは、それぞれの制御用コンピュータを有する、通路に沿って複数配設した近距離無線通信が可能な通過情報送信装置と、前記通過情報送信装置と無線通信可能な携帯型情報処理装置と、前記携帯型情報処理装置と無線通信可能な制御認証コード専用サーバとによって行われる、  前記携帯型情報処理装置が予め定められた前記通過情報送装置から通過情報を受け取る第１の処理と、前記認証コード専用サーバが前記携帯型情報処理装置から前記通過情報を受け取る第２の処理と、前記認証コード専用サーバが前記通過情報に基いて正規の通路を通過してきたかどうかを判断する第３の処理と、のそれぞれの機能に応じた処理を、前記それぞれの制御用コンピュータに実行させることを特徴とする。
上記の本願発明に係るコンピュータプログラムにおいて、前記第１の処理を実行するコンピュータプログラムは、前記携帯型情報処理装置が行う、前記通過情報送信装置から第１の識別コードを受信し前記第１の識別コードが予め定められた前記通過情報送信装置のものであることを判断した場合に前記通過情報送信装置に対して前記通過情報を要求する第４の処理と、前記携帯型情報処理装置が行う前記要求に対応して受信した前記通過情報を記憶する第５の処理と、を実行するコンピュータプログラム含むことが好ましい。
また、前記通過情報送信手段と前記認証コード専用サーバは、無線もしくは有線によるネットワークで接続されており、前記第１の処理を実行させるコンピュータプログラムは、  前記通過情報送信装置が行う、前記携帯型情報処理装置から第２の識別コードを受信し前記ネットワークを介して前記認証コード専用サーバに前記第２の識別コード送信する第６の処理と、前記認証コード専用サーバが行う、前記第２の識別コードから許可を与えるべき対象であるかどうかを判断し前記ネットワークを介して前記通過情報送信装置に判断結果を送信する第７の処理と、前記通過情報送信装置が行う、前記判断結果を受信し前記判断結果が前記許可を与えるべき対象である場合に前記携帯型処理装置に前記通過情報を送信する第８の処理と、を実行するコンピュータプログラム含むことが好ましい。
また、上記の本願発明に係るひとつのコンピュータプログラムにおいて、更に扉の鍵を制御可能な、制御用コンピュータを有する入室管理装置を用い、前記第３の処理を実行するコンピュータプログラムは、前記認証コード専用サーバが行う、前記携帯型情報処理装置が正規ルートを経由してきたと判断した場合に前記入室管理装置に前記扉の鍵の解除を指示する信号を送信する第９の処理と、を実行するコンピュータプログラム含むことが好ましい。
また、上記の本願発明に係るひとつのコンピュータプログラムにおいて、前記通行情報は、前記認証コード専用サーバが管理する認証コードであることが好ましい。
上記目的を達成するため、本願発明に係る通行管理装置は、通路に沿って配設された近距離無線通信機能を有する通過情報送信手段と、該通過情報送信手段の近距離無線通信機能と無線通信可能な近距離無線通信機能を有し、当該通過情報送信手段から所定の通過情報を取得する携帯型情報処理装置と、該携帯型情報処理装置で取得した通過情報に基づいて正規の通路を通過してきたか否かを判断する通過判断手段とを備えたことを特徴としている。
【手続補正４】
【補正対象書類名】明細書
【補正対象項目名】０００６
【補正方法】変更
【補正の内容】
【０００６】
また、本願発明に係る通行管理装置は、通路に沿って配設された近距離無線通信機能を有する通過情報送信手段と、該通過情報送信手段の近距離無線通信機能と無線通信可能な近距離無線通信機能を有し、当該通過情報送信手段から所定の通過情報を取得する携帯型情報処理装置と、該携帯型情報処理装置の近距離無線通信機能と無線通信可能な近距離無線通信機能を有し、当該携帯型情報処理装置で取得した通過情報に基づいて正規の通路を通過してきたか否かを判断する通過判断手段と、該通過判断手段で正規の通路を通過してきたと判断したときに入室を許可する入出管理手段とを備えたことを特徴としている。
【手続補正５】
【補正対象書類名】明細書
【補正対象項目名】０００７
【補正方法】変更
【補正の内容】
【０００７】
さらに、本願発明に係る通行管理装置は、請求項２に係る発明において、前記入出管理手段は、入室を許可したときに入出ドアを開状態に制御することを特徴としている。
さらにまた、本願発明に係る通行管理装置は、前記入出管理手段は、携帯型情報処理装置が取得した通過情報と携帯型情報処理装置の固有識別情報とに基づいて入出許可判断を行うように構成されていることを特徴としている。
【手続補正６】
【補正対象書類名】明細書
【補正対象項目名】０００８
【補正方法】変更
【補正の内容】
【０００８】
なおさらに、本願発明に係る通行管理装置は、前記入出管理手段は携帯型情報処理装置の固有識別情報の照合を管理サーバに依頼するように構成されていることを特徴としている。
また、本願発明に係る通行管理装置は、前記携帯型情報処理装置が、前記入出管理手段との無線通信が不可能な状態となってから所定時間経過したときに取得した通過情報を消去するように構成されていることを特徴としている。
【手続補正７】
【補正対象書類名】明細書
【補正対象項目名】０００９
【補正方法】変更
【補正の内容】
【０００９】
さらに、本願発明に係る通行管理装置は、前記携帯型情報処理装置が、所定の通過情報を受信してから所定時間内に他の通過情報送信手段及び通過判断手段の何れかと無線通信可能な状態とならないときに、取得した通過情報を消去するように構成されていることを特徴としている。
【手続補正８】
【補正対象書類名】明細書
【補正対象項目名】００１０
【補正方法】変更
【補正の内容】
【００１０】
さらにまた、本願発明に係る通行管理装置は、前記通過情報送信手段が、携帯型情報処理装置と近距離無線通信機能を介して無線通信を行ったときに、携帯型情報処理装置の固有識別情報が登録されたものであるか否かを判断し、登録されたものであるときに通過情報を携帯型情報処理装置に送信するように構成されていることを特徴としている。
【手続補正９】
【補正対象書類名】明細書
【補正対象項目名】００１１
【補正方法】変更
【補正の内容】
【００１１】
なおさらに、本願発明に係る通行管理装置は、前記通過情報送信手段が、ウォーキングラリー又はカーラリーの通過ポイントに配設され、通過判断手段がゴールに配設されていることを特徴としている。
また、本願発明に係る通行管理方法は、通路に沿って配設された近距離無線通信機能を有する通過情報送信手段から近距離無線通信機能を介して通過情報を取得するステップと、取得した通過情報を通過判断手段に送信して当該通過情報に基づいて正規の通路を通過してきたか否かを判断するステップとを備えたことを特徴としている。
【手続補正１０】
【補正対象書類名】明細書
【補正対象項目名】００１２
【補正方法】変更
【補正の内容】
【００１２】
さらに、本願発明に係る通行管理方法は、通路に沿って配設された近距離無線通信機能を有する通過情報送信手段から近距離無線通信機能を介して通過情報を取得するステップと、取得した通過情報を通過判断手段に送信して当該通過情報に基づいて正規の通路を通過してきたか否かを判断するステップと、該通過判断手段で正規の通路を通過してきたと判断したときに入出管理手段で入室を許可するステップとを備えたことを特徴としている。
【手続補正１１】
【補正対象書類名】明細書
【補正対象項目名】００１３
【補正方法】変更
【補正の内容】
【００１３】
さらにまた、本願発明に係る携帯型情報処理装置用プログラムは、通路に沿って配設された近距離無線通信機能を有する通過情報送信手段から近距離無線通信機能を介して通過情報を取得するステップと、取得した通過情報を当該通過情報に基づいて正規の通路を通過してきたか否かを判断する通過判断手段に送信するステップとをコンピュータに実行させるためのプログラムであることを特徴としている。
【手続補正１２】
【補正対象書類名】明細書
【補正対象項目名】００５２
【補正方法】変更
【補正の内容】
【００５２】
以上説明したように、本願発明に係る通行管理装置又は方法によれば、所定の通路を通過して携帯型情報処理装置で通過情報送信手段から通過情報を取得した否かを通過判断手段で判断し、単に認証情報による判断だけではなく、通過情報送信手段の近傍を通過しない限り、通過情報を取得できないので、高度のセキュリティ機能を発揮することができるという効果が得られる。
【手続補正１３】
【補正対象書類名】明細書
【補正対象項目名】００５３
【補正方法】変更
【補正の内容】
【００５３】
また、本願発明に係る通行管理装置又は方法によれば、通過判断手段で正規の通路を通過してきたと判断したときに入室を許可する入出管理手段を有するので、単に携帯型情報処理装置を携帯しているだけでは入室が許可されず、携帯型情報処理装置を不正に取得したり、携帯型情報処理装置の記憶情報をコピーしたりした場合でも通過情報送信装置の存在を知らない場合には入室が許可されず、より高度のセキュリティ機能で発揮しながら入室管理を行うことができるという効果が得られる。
【手続補正１４】
【補正対象書類名】明細書
【補正対象項目名】００５４
【補正方法】変更
【補正の内容】
【００５４】
さらに、本願発明に係る通行管理装置によれば、入出管理手段は、入室を許可したときに入出ドアを開状態に制御するので、入室有資格者のみが入出ドアを通って室内に入室することができるという効果が得られる。
さらにまた、本願発明に係る通行管理装置によれば、入出管理手段は、携帯型情報処理装置が取得した通過情報と携帯型情報処理装置の固有識別情報とに基づいて入出許可判断を行うように構成されている。
【手続補正１５】
【補正対象書類名】明細書
【補正対象項目名】００５５
【補正方法】変更
【補正の内容】
【００５５】
なおさらに、本願発明に係る通行管理装置によれば、入出管理手段が、携帯型情報処理装置が取得した通過情報及び携帯型情報処理装置の固有識別情報の照合を管理サーバに依頼するように構成されているので、通過情報及び固有識別情報の変更を管理サーバ側で任意に行うことができると共に、通過情報を任意に変更することにより、入出管理手段の記憶情報を不正に取得しても入室許可を得ることはできず、よりセキュリティの高い入出管理を行うことができるという効果が得られる。
【手続補正１６】
【補正対象書類名】明細書
【補正対象項目名】００５６
【補正方法】変更
【補正の内容】
【００５６】
また、本願発明に係る通行管理装置によれば、携帯型情報処理装置が、前記入出管理手段との無線通信が不可能な状態となってから所定時間経過したときに取得した通過情報を消去するように構成されているので、携帯型情報処理装置側に通過情報が記憶されることができ、この携帯型情報処理装置を不正に取得しても通過情報を解読することはできないという効果が得られる。
【手続補正１７】
【補正対象書類名】明細書
【補正対象項目名】００５７
【補正方法】変更
【補正の内容】
【００５７】
さらに、本願発明に係る通行管理装置によれば、携帯型情報処理装置が、所定の通過情報を受信してから所定時間内に他の通過情報送信手段及び通過判断手段の何れかと無線通信可能な状態とならないときに、取得した通過情報を消去するように構成されているので、通過情報を取得してから所定時間内に通過判断手段に到達しない場合には通過判断が行われないことになり、よりセキュリティ機能を向上させることができるという効果が得られる。
【手続補正１８】
【補正対象書類名】明細書
【補正対象項目名】００５８
【補正方法】変更
【補正の内容】
【００５８】
さらにまた、本願発明に係る通行管理装置によれば、通過情報送信手段が、携帯型情報処理装置と近距離無線通信機能を介して無線通信を行ったときに、携帯型情報処理装置の固有識別情報が登録されたものであるか否かを判断し、登録されたものであるときに通過情報を携帯型情報処理装置に送信するように構成されているので、単に通過情報を送信する場合に比較して通行有資格者のみに通過情報を送信することができ、よりセキュリティ機能を向上させることができる。
【手続補正１９】
【補正対象書類名】明細書
【補正対象項目名】００５９
【補正方法】変更
【補正の内容】
【００５９】
なおさらに、本願発明に係る通行管理装置によれば、通過情報送信手段がウォーキングラリー又はカーラリーの通過ポイントに配設され、通過判断手段がゴールに配設されているので、入出管理の他、ウォーキングラリーやカーラリーその他の通過ポイントを通過することが条件となるゲームに本発明を適用することができるという効果が得られる。